(57)【要約】【課題】軽く、薄く、柔らかい、暖かいをテーマにし高級指向品の人気を得た寝具が長い間市販されて来ているが、相反し高級品なのに寝具がずれてベッドから外れ落ちて困っている事に対応する物である。【解決手段】寝具がずれてベッドから外れ落ちて困っていのを、びくともさせない布帛連結ベースで寝具ずれを解決する方法で、雄面フアスナーを任意形状に型取りし、何の方向へ引っ張っても剥がれ難い中央部へ連結部を係合係止し設け、布帛連結ベース両接合面で寝具を連結接合し解決する物である【選択図】図１
2013144087.tif 000002
【特許請求の範囲】
【請求項１】
雄面フアスナーを図７の３Ｂ型形状に型取りした、二型の中央２３の連結部に、各々の連結具１８を設け、又、各々の連結具１８へベルト１９の両先端を夫々通した３Ｂ型の布と布との仲介連結具の布帛連結ベースである。
【請求項２】
図７の３Ｂ型の接合面２０に、図１１の寝具上掛け布１２の接合面１３の平面を接合し、且つ、図９の様に、図１１の１２の接合面１３を接合を容易にする為に、図９の様に二つ折りにして挟む事も出来て、又、図１２の襞付き上掛け布３６の襞部３７をも軟質材である故に何の様な角度にも、本体自体くねらせ挟み連結接合の対応をする事が出来る広角接合機能構成で、布と布との仲介連結具の布帛連結ベースである。
【請求項３】
片方の接合面付き図７，９の３Ｂベルトをマットレスの下に廻し潜らせ出して寝具両側に図１５の様に、各々の総ての就寝者の身長に合わせた３Ｂ−１胸部、３Ｂ−２腰部、３Ｂ−３膝部位置に連結接合する構成の布と布との仲介連結具の布帛連結ベースである。
【請求項４】
接合要所によっては、接合場所条件によって形状を要所に合わせる必要から、接合形状を要所へ自由に合わせられる軟質材で、何の様な角度にも対応出来て、接合場所条件によって形状を自由に変更しても基本機能は変える事をせず、形状を自由に変える事が出来る構造の布と布との仲介連結具の布帛連結ベースである。
【請求項５】
図７の３Ｂ型形状の中央部２３を強く引っ張ると中央部に集中的に引っ張り作用が加わり、剥がれ難く成り、図７の矢印の縦方向への引っ張りは最も強く剥がれ難く、中央から外側の対称２片の輪郭部全周２６へ同時に向かって進む剥離作用が布帛連結ベースの適正な大きさで剥がれ難い強度が変わる構造の布と布との仲介連結具の布帛連結ベースである。
【発明の詳細な説明】
【技術分野】
【０００１】    この発明は、軽く、薄く、柔らかい、暖かいをテーマにし高級指向品の人気を得た寝具が長い間市販されて来ているが、寝具がずれて困るとのＴＶブログに掲載、又、その高級指向品を通販、ＴＶホームページなどで寝具ずれ防止を施した寝具であると広告されて来ているが、何れを見ても完全とは言い難い物である為に、びくともしない布帛連結ベースによる布団ずれ防止方法によって布団ずれを解決す構造に関する物である
【背景技術】
【０００２】    今迄寝具のずれ防止解決に、寝具製造、各種販売ルートに関係される人々が有効な手段方法を見え出す事が出来ずに今日に至っている。
布団ずれの課題は面フアスナー誕生以前から問題とされていたが、この布帛連結ベースによる布団ずれ防止方法は、雄面フアスナーを主軸にした物で、面フアスナーを発表されてから特許期間を経過しながら数十年経過しており、【０００３】    世界の人々にも寝返り問題は存在しているが、又、寝具に携わる人々が世界で数千万人とも想定される中で、布団ずれで困っている人々を含むと数億人に成ると思われますが、この寝具課題に直接関係する人々でも、今日まで完全な寝返り布団ずれ防止方法を見え出す事が出来なかった課題を布団連結ベース解決する物である。
【背景技術】
【先行技術文献】
【０００４】
【特許文献１】特許公開２００２−１５９３９４号公報
【特許文献３】特許公開１０−３３７２３３号公報
【特許文献４】特許公開２００３−２４５１８０号公報
【特許文献１】特開５０−１５０５５７
【特許文献２】出願（申請）番号特願２０１１−１６９６３７
【特許文献３】出願（申請）番号特願２０１１−２９０５０７
【実用新案文献２】
公開平６−６２８８８号公報
【０００５】    この発明は先に、出願（申請）番号特願２０１１−１６９６３７、と出願（申請）番号特願２０１１−２９０５０７で本考案の機能を説明しておりましたが申請記入方法の不備と説明不足により改めて、具体的に布帛連結ベースについて説明する、従来の面フアスナーは接合、剥離の繰り返しを主体とした物で有り、引っ張っても剥がれ難いものは、国内特許文献、通販、新聞広告、国外にも見当たらず開発されて居なかった。
【発明の概要】
【発明の解決しょうとする課題】
【０００６】    此れは次の様な欠点があった。
従来の文献では、布団ずれ防止器具としてベッドサイド、布団縁廻り数ヶ所に手数の掛かる製造工程上複雑な連結具を設け、寝起きの動作や身長差に対しての考量が少なく、布団、マットレスカバー総てに複雑な連結部を設け、
【０００７】紐等で結び固定した物や、ベルトとクリップを使用した簡単に寝返りで布団から外れる既製品のサスペンダークリップ等を使用した物等の、布団ずれ防止器具が申請している、何れも取り扱えが複雑である、毎回の洗濯で取り外しに簡単に応えられる物では無く
【０００８】    引例文献の特開昭５０−１５０５５７（２）に付いては、雄面フアスナーに吊り下げ用引っ掛け部を設け、その一端面に雌面フアスナーをカーテン縁地に単に通常扱いの接合した物で、面スアスナーの接合力（せん断力）に依存した構成のカーテン吊りにした物であり、厚地の重い緞帳等には支えきれず、支えるには物凄い大きい物となり、又、開け閉めの際、引っ掛かった時には力が加わり面フアスナーの特長である簡単に剥離が出来るのが災いし、雄面フアスナーから簡単に雌面フアスナーが剥がれる構造の物で、従ってユーザーに受け入れられる物ではなかった。
【課題を解決する為の手段】
【０００９】    雄面フアスナーの布帛連結ベースは、布と布との仲介連結具であり、接合要所によっては形状を要所に合わせる必要性から、接合形状を要所に合わせ自由に変更できる構成で、形状を自由に変更しても機能は変わる事が無く、夫々の要所に合わせ型取りした各布帛連結ベースに、中央の連結部３，９，を高周波熱溶着、ミシン縫製、カシメ等で、任意の係合方法で係止し、何の方向へ引っ張っても剥がれ難い構成で、
【００１０】    又、１片の中央に連結部を設け、その連結部に連結具を設け、更にベルトを通した布帛連結ベースの雄面フアスナーに接合可能生地を接合させ、接合連結した連結布は布帛同士引っ張り合っても剥がれ難く、又、組合せ解除の時は簡単に剥がれる機能を合わせ持った布帛連結ベースで解決する為の手段である。
【発明の効果】
【００１１】    布帛連結ベースを併用する事で就寝中の寝具が寝返り、寝相の悪さにより布団等がずれたり、乱れたりするのを完全に防止し、ずれたり、乱れたり等で健康阻害を予防する事ができ、今迄無かった簡単便利で安心を得られる有益な物である。
【図面の簡単な説明】
【００１２】
【図１】  １Ｈ型斜視図である
【図２】  １Ｈ型Ａ−Ｂの断面図である
【図３】  素材が柔軟である事を示す１Ｈ型布帛連結ベース斜視図である
【図４】  ２Ｔ型斜視図である
【図５】  ２Ｔ型Ｃ−Ｄの断面図である
【図６】  ２Ｔ型の接合例の断面図である
【図７】  ３Ｂ型斜視図である
【図８】  ３Ｂ型Ｅ−Ｆの断面図である
【図９】  ３Ｂ型の使用例の斜視図である
【図１０】  上掛け布上面平面図である
【図１１】  上掛け布下面平面図である
【図１２】  上掛け布襞設置断面図である
【図１３】  上掛け布２Ｔ型配置斜視図である
【図１４】  上掛け布２Ｔ型設置Ｇ−Ｈの拡大断面図
【図１５】  ３Ｂ型の上掛け布への取付け配列斜視図である
【図１６】  上掛け布と布団連結の斜視図である
【発明を実施する為の形態】
以下、本発明を実施する為の最良の形態について説明する。
【００１３】    本発明の布帛連結ベースは、雄面フアスナーを図１の１Ｈ型、図４の２Ｔ型、図７の３Ｂ型の、各々の自由形状に型取りした形状の中央に連結部を設け、接合可能生地を合わせ接合してから布同士を引っ張り合うと中央部に集中的に引っ張り作用が加わり、中央の連結部から外側の自由形状輪郭４、２４，２５，２６の全外周方向へ渡って同時に進行する作用が発生する。
【００１４】      従ってこの作用原理で形状の全面積の接合力が、引っ張る力と剥れる迄の時間は、通常の面フアスナーと比べると比較出来ないほど計りきれない内容の構成要素の違いが沢山介在し剥がれ難くしている。
二片の不接合面合わせ、又は、接合面合わせの中央に引っ張り用の連結部３、９を設け連結設置位置を高周波熱溶着、ミシン縫製、カシメ具等で係合係止した構成で、中央に連結部を設定する方法の基本原理原則は絶対に変更をせずに、
【００１５】    布帛連結ベースを相手側の接合形状に合う形状に変更する方法で、各々の要所ごとの相手側の接合形状に合う様に布帛連結ベース形状を変え対応をする事で、図４の２Ｔ型７の接合面１０に接合可能生地図６の寝具の上掛け図１１と図６の１２の１３等を接合し、ベッドカバー１６の１５に図４の２Ｔ型８の接合面１１を接合し、図１の１Ｈ型の接合面５に上掛け布図１０の１４を接合し、図３の１Ｈ型の接合面６には図１６布団２１の２２を接合し、夫々強く引っ張っても剥がれ難い布帛連結ベースの構造で、
【００１６】    図１２の襞付き上掛け布３６の襞部３７を柔軟材質２Ｔ型の７で図１４の様に挟む事が出来、ベッドカバー１６の接合部１５に２Ｔ型の接合面８の１１を接合し、図１２の襞付き上掛け布３６の襞部３７をも、２Ｔ型、３Ｂ型で軟質材である故に何の様な角度にも本体自体くねらせ対応し接合が出来、２Ｔ型を総ての各自の就寝者身長に合わせた位置に２Ｔ−１胸部２Ｔ−２膝部２Ｔ−３膝部の順で２Ｔ型を配置し、反対側も同様連結接合する。
【００１７】    図７の３Ｂ型の中央連結部２３に連結具１８を設置し連結具にベルト１９を通し、図７の３Ｂ型の接合両面２０で寝具上掛け図１１の１２の１３を挟み易い様に、図９の様に平面接合から接合面を二つ折りにして挟む事も出来る機能で、図１２の襞付き上掛け布３６の襞３７を図１２，１３，１４の２Ｔ型の７の１０で挟んでいる襞３７と同様に、３Ｂ型の接合両面２０で挟む広角接合をする事もでき、３Ｂ型接合面付き片方の図７，９のベルトをマットレスの下に廻し潜らせ出して反対側も同様連結接合する。
【００１８】    その要因は軟質素材であり、且つ、中央の連結部３、９と２３の連結部を自由形状雄面フアスナーの布帛連結ベース中央に設けた事で、引っ張り力が中央の連結部に集中的に引き剥そうと働く為で、自由形状雄面フアスナーの布帛連結ベースの面積が異なると引っ張り力と剥がれる時間が変わって来る機能構成で、
【００１９】    この剥がれ終える迄の時間と剥がすのに要する力が、この機能構成を活用する相手側の接合形状の面積と力のバランスで、強く剥がれ難い雄面フアスナーの布帛連結ベースと成り得る事であり、布帛連結ベースの形状が大きく成れば成るほど強く剥がれ難く、剥す時間が長く掛かる布帛連結ベースと成り、
【００２０】    用途要所の必要引っ張り力は各要所ごとに異なるが各要所の引っ張り力以上の面積が各々必要で適正な形状と大きさを選択し活用する構成条件で用途要所に対応する布帛連結ベースの構成であり、この剥がれ難い構造と簡単に剥離が出来る従来の面フアスナーの機能を併用活用する事で、新しい産業分野を開発出来る物と考えて開発した物である。
【００２１】    この剥がれ難い重要な共通機能構造は、図１、図２、図３の１Ｈ型と図４、図５、の２Ｔ型、更に図７、図８、図９、の３Ｂ型の項で説明した通り変える事の出来ない基本原則の中央に連結部を設置した形状の本発明の剥がれ難い仲介連結具の布帛連結ベースの構造である。
【符号の説明】
【００２２】１  １Ｈ型Ａ
２  １Ｈ型Ｂ
３  １Ｈ型中央連結部
４  １Ｈ型形状輪郭部
５  １Ｈ型１の接合面
６  １Ｈ型２の接合面
７  ２Ｔ型横片
８  ２Ｔ型縦片
９  ２Ｔ型中央の連結部
１０  ２Ｔ型横との接合面部
１１  ２Ｔ型縦との接合面部
１２  上掛け布
１３  上掛け布接合可能生地の接合面
１４  布団との連結部
１５  ベッドカバーの接合可能生地
１６  ベッドカバー
１７  ３Ｂ型
１８  連結具
１９  ベルト
２０  ３Ｂ型の接合面
２１  布団
２２  上掛け布と１Ｈ型の連結
２３  ３Ｂ型片の中央部
２４  ２Ｔ型横の輪郭部
２５  ２Ｔ型縦の輪郭部
２６  ３Ｂ型の輪郭部
３６  襞付き上掛け布
３７  上掛け布の襞
３８  布団との連結部
１Ｈ  １Ｈ型
２Ｔ  ２Ｔ型
３Ｂ  ３Ｂ型
２Ｔ−１  胸部
２Ｔ−２  腰部
２Ｔ−３  腰部
【図１】
2013144087.tif 000003
【図２】
2013144087.tif 000004
【図３】
2013144087.tif 000005
【図４】
2013144087.tif 000006
【図５】
2013144087.tif 000007
【図６】
2013144087.tif 000008
【図７】
2013144087.tif 000009
【図８】
2013144087.tif 000010
【図９】
2013144087.tif 000011
【図１０】
2013144087.tif 000012
【図１１】
2013144087.tif 000013
【図１２】
2013144087.tif 000014
【図１３】
2013144087.tif 000015
【図１４】
2013144087.tif 000016
【図１５】
2013144087.tif 000017
【図１６】
2013144087.tif 000018
【手続補正書】
【提出日】平成24年11月20日(2012.11.20)
【手続補正１】
【補正対象書類名】特許請求の範囲
【補正対象項目名】請求項１
【補正方法】変更
【補正の内容】
【請求項１】
布に設けられた面フアスナーと連結接合される布帛連結ベースにおいて、長方形状の面フアスナー生地の対角線が交差する中央部の両側面に凹を設けたことを特徴とする布帛連結ベースである。
【手続補正２】
【補正対象書類名】特許請求の範囲
【補正対象項目名】請求項２
【補正方法】変更
【補正の内容】
【請求項２】
請求項１記載の布帛連結ベースにおいて前記面フアスナー生地は軟質材で形成されていることを特徴とする布帛連結ベースである。
【手続補正３】
【補正対象書類名】特許請求の範囲
【補正対象項目名】請求項３
【補正方法】変更
【補正の内容】
【請求項３】
請求項１又は請求項２記載の布帛連結ベースにおいて、前記面フアスナー生地の凹部に前記面フアスナー生地を引っ張るベルトを結合したことを特徴とする布帛連結ベースである。
【手続補正書】
【提出日】平成25年2月12日(2013.2.12)
【手続補正１】
【補正対象書類名】特許請求の範囲
【補正対象項目名】全文
【補正方法】変更
【補正の内容】
【特許請求の範囲】
【請求項１】
布に設けられた面フアスナーと連結接合される布帛連結ベースにおいて、一方の面に面フアスナーが形成された面フアスナー材を長方形状に形成し、該面フアスナー材の対角線が互いに交差する中央部の両側面に凹部を設け、該凹部が設けられた部分の前記面フアスナー材の前記一方の面とは逆の他方の面に引っ張り具が取り付けられていることを特徴とする布帛連結ベース。
【請求項２】
請求項１記載の布帛連結ベースにおいて、前記一方の面が互いに向かい合う様に内側となるよう前記に引っ張り具が取り付けられた位置で折り曲げて使用できるように構成されていることを特徴とする布帛連結ベース。